(57)【要約】  この発明は、特に、Ｎ−タイプの同軸差し込み型接続器に用いるバルクヘッドソケット１００に関する。これは、同軸ケーブル端１２と結合端１４を持つ外部導体を備えている。結合端１４に隣り合う外皮１０の内壁面に設けられた溝３４を持ち、溝３４の中に設けられている環状に形成された掛けがね縁３０によって特徴付けられている。
2007538360.tif 000002
【特許請求の範囲】
【請求項１】
外部導体を形成し、同軸ケーブル端（１２）と結合端（１４）を持つ筒状外皮（１０）を備えた、特にＮ−タイプの同軸プラグとソケットを接続するためのバルクヘッドソケット（１００）において、該結合端（１４）に隣り合う、該外皮（１０）の内壁内に、周方向に亙って環状形態となっていると共に、掛けがね端（３０）を形成している溝（３４）を具備していることを特徴とするバルクヘッドソケット（１００）。
【請求項２】
掛けがね縁（３０）を形成している溝（３４）の結合端は、バルクヘッドソケット（１００）の結合端（１４）から、２．８〜３ｍｍ、特に２．９ｍｍ離れている請求項１記載のバルクヘッドソケット（１００）。
【請求項３】
外皮（１０）はその外周にネジ山（１６）を持っており、該ネジ山（１６）は、一般的な同軸プラグが備えている結合ナットの内側のネジ山と螺合するものである請求項１又は２記載のバルクヘッドソケット（１００）。
【請求項４】
請求項１乃至３のいずれか一項に記載されたバルクヘッドソケット（１００）と同軸プラグ（２００）とを持つ、特にＮ−タイプの同軸プラグとソケットの接続器（１００，２００）。
【請求項５】
同軸プラグ（２００）は、外部導体を形成し、結合端（４８）と同軸ケーブル端（５０）を持つ外套の筒状外部導体部位（３６）と、該外部導体部位（３６）の周りに沿うように、かつ、該外部導体部位（３６）に対して同軸的に移動可能となるようにして設けられている掛けがね管（４２）とを具備し、ここにおいて、
前記外部導体部位（３６）に当接する一方端と、前記掛けがね管（４２）に当接する他方端によって支持されたバネ（５２）を備え、これによって、該掛けがね管（４２）は、該外部導体部位（３６）の前記同軸ケーブル端（５０）の方向に、予め押し付けられており、
前記掛けがね管（４２）は、前記結合端（４８）において同軸的に差し込まれるように形成され、そこにおいて、弾撥性掛けがね舌片（５４）が設けられており、
前記掛けがね舌片（５４）の各々は、それらの結合端において、掛けがね縁（５６）を持っており、該掛けがね縁（５６）は、バルクヘッドソケット（１００）に設けられている溝（３４）の掛けがね縁（３０）に係合するように、径方向に外方に上向きに延びており、
前記掛けがね管（４２）の周りには、該掛けがね管（４２）に対して同軸的に移動しうる非固定管（４４）が設けられており、
前記掛けがね管（４２）は、径方向に外方に上向きに延びている傾斜舌片（５８）を持っており、該傾斜舌片（５８）は前記同軸ケーブル端（５０）の方向に向かって上向きに傾斜しており、
前記傾斜舌片（５８）は、前記非固定管（４４）の内側面に設けられた傾斜溝（６０）に対応して協働し、その結果、該非固定管（４４）が、前記掛けがね管（４２）に対して、前記同軸ケーブル端（５０）の方向へ移動することにより、該掛けがね管（４２）の前記掛けがね舌片（５４）が、径方向に内方に曲がることを特徴とする請求項４記載の同軸プラグとソケットの接続器（１００，２００）。
【請求項６】
外部導体部位（３６）の同軸ケーブル端（５０）に、掛けがね管（４２）のための止め具（４６）が設けられており、前記止め具（４６）は、掛けがね管（４２）の同軸的移動を、前記外部導体部位（３６）の前記同軸ケーブル端（５０）の方向において、制限している請求項１乃至３のいずれか一項に記載の同軸プラグとソケットの接続器（１００，２００）。
【発明の詳細な説明】
【技術分野】
【０００１】
本発明は、特にＮ−タイプの同軸プラグとソケットの接続器のためのバルクヘッドソケットに関し、請求項１の前提項において規定されているように、外部導体を形成し、同軸ケーブル端と結合端を持つ筒状外皮を備えたバルクヘッドソケットに関するものである。また、本発明は、請求項４の前提項において規定されているように、特にＮ−タイプの同軸プラグとバルクヘッドソケットを持つ、同軸プラグとソケットの接続器に関するものである。
【背景技術】
【０００２】
同軸プラグとソケットの接続器は、同軸プラグと同軸バルクヘッドソケットとを備えており、両者を差し込み、お互いに接続されたとき、同軸差し込み型接触が形成されるものである。いわゆるＮ−タイプの同軸プラグとソケットの接続器の場合、プラグとソケットが接続されるように、ソケットの外周上にネジ山が設けられている。プラグには、その内周に同様なネジ山を持つ結合ナットが備えられている。ＮプラグとＮソケットを接続するためには、両者を差し込み、プラグの結合ナットを、その内周のネジ山によって、Ｎソケットの外周上にねじ込む。Ｎ型の同軸プラグとソケットの接続器の接続は、長い間、この方法で行われており、プラグとソケットの間の良好で堅固なＨＦ接触を提供している。しかしながら、ねじ込み作業は、人手による多大な労力を必要とし、プラグとソケットを接続するのに比較的長い時間を要するという不利益があると感じられている。たとえば、プラグとソケットの間に、多数の同軸接続を行われければならない場合、人手による労力と時間は、無視できないほど過大となる。
【発明の開示】
【発明が解決しようとする課題】
【０００３】
本発明の課題は、接続作業及び接続を解除する作業に関して、バルクヘッドソケットすなわち同軸プラグとソケットの接続器を単純化することにある。また、ＨＦ信号の伝送に関して、作業の確実性を十分に保持することにある。
【課題を解決するための手段】
【０００４】
本発明の課題は、請求項１において特徴付けられた形態を持つ上述した種類のバルクヘッドソケットに係る発明によって達成される。また、請求項４において特徴付けられた形態を持つ上述した種類の同軸プラグとソケットの接続器に係る発明によって達成される。本発明の好ましい態様は、その他の各々の請求項に規定されている。
【０００５】
上述した種類のバルクヘッドソケットにおいて、本発明によって、結合端に隣り合う外皮の内壁内に形成されている、周方向に亙って環状形態となっている溝が提供される。
【０００６】
これは、外皮内の溝に係合する弾撥性掛けがね部を持っている同軸プラグを、バルクヘッドソケットに固定することができるという利点を持っている。
【０００７】
好ましい態様において、掛けがね縁を形成している溝の結合端は、バルクヘッドソケットの結合端から、２．８〜３ｍｍ、特に２．９ｍｍ離れている。
【０００８】
外皮には、好ましくは、その外周上にネジ山を持っており、これは、一般的な同軸プラグに備えられている結合ナットの内側のネジ山に螺合する。この場合において、望むならば、バルクヘッドソケットは、ねじ込み固定手段を持つ標準的で一般的な同軸プラグに接続することも可能である。
【０００９】
詳述した種類の同軸プラグとソケットの接続器において、上述のように形成されたバルクヘッドソケットが本発明によって提供される。
【００１０】
これは、ねじ込みによる接続の作業をすることなしに、同軸差し込み接続器を簡単にかつ速く接続でき、また接続を解除できるという利点を有する。
【００１１】
より好ましい態様において、同軸プラグは、外部導体を形成し、結合端と同軸ケーブル端を持つその外套の筒状外部導体部位と、該外部導体部位の周りに沿うように、かつ、該外部導体部位に対して同軸的に移動可能となるようにして設けられている掛けがね管とを具備している。該外部導体部位に当接する一方端と、該掛けがね管に当接する他方端によって支持されたバネを備えており、このような方法で、該掛けがね管は、該外部導体部位の該同軸ケーブル端の方向に、予め押し付けられている。該掛けがね管は、該結合端において同軸的に差し込まれるように形成され、そこにおいて、弾撥性掛けがね舌片が形成されており、該掛けがね舌片の各々は、それらの結合端において、掛けがね縁を持っており、該掛けがね縁は、バルクヘッドソケットに設けられている溝の掛けがね縁に係合するうよに、径方向に外方に上向きに延びている。また、該掛けがね管の周りには、該掛けがね管に対して同軸的に移動しうる非固定管が設けられ、該掛けがね管は、径方向に外方に上向きに延びている傾斜舌片を持っており、該傾斜舌片は該同軸ケーブル端の方向に向かって上向きに傾斜し、該傾斜舌片は、該非固定管の内側面に設けられた傾斜溝に対応して協働し、その結果、該非固定管が、該掛けがね管に対して、該同軸ケーブル端の方向へ移動することにより、該掛けがね管の該掛けがね舌片が、径方向に内方に曲がる。
【００１２】
実用的には、外部導体部位の同軸ケーブル端に、掛けがね管のための止め具が形成されており、この止め具は、該外部導体部位の該同軸ケーブル端の方向において、掛けがね管の同軸的移動を制限する。
【００１３】
本発明は、図面を参照することによって、以下のように詳述される。
【００１４】
図１は、本発明によって形成される、同軸プラグとソケットの接続器のためのＮ−タイプのバルクヘッドソケット１００を示している。このバルクヘッドソケット１００は、外部導体を形成し、同軸ケーブル端１２及び結合端１４を持つ筒状外皮１０を持ち、その外周上にネジ山１６を持っている。また、バルクヘッドソケット１００は、中央導体１８、絶縁部位２９、雌ハンダ接続２２、六角ナット２４、防振ワッシャー２６及びＯ−リング２８を備えている。
【００１５】
このＮ−タイプのバルクヘッドソケット１００は、以下の示す事項の他は、標準的な設計となっている。すなわち、結合端１４において、外皮１０の内壁内に、外皮１０の内周方向に亙って環状形態となっている溝３４によって、掛けがね縁３０が形成されている事項である。溝３４は、結合端１４において、外皮１０の標準化された内周の材料除去装置によって形成される。結合端１４における外皮１０の内周の形状は、もちろん標準化されたものではないが、結合ナットを備えている一般的な同軸プラグを差し込むときに、その作業に悪影響を及ぼさないものである。悪影響を及ぼさないということは、内周にネジ山を持っている標準化されたＮ−タイプ同軸プラグが、図１に示されたバルクヘッドソケットに固定できるということを意味している。
【００１６】
バルクヘッドソケット１００に係る発明による設計は、速やかに固定するタイプの特定設計の同軸プラグを、差し込むことができる。この特定の同軸プラグは、掛けがね縁３０の後ろ側に係合する掛けがね要素を持っており、掛けがね縁３０と協働して、機械的に強固な接続を、バルクヘッドソケットと同軸プラグとの間に与える。
【００１７】
この種の特定設計の同軸プラグ２００は、その一例が図２に示されている。これは、外部導体を形成している外套の筒状外部導体部位３６と、中央導体３８と、絶縁部位４０と、掛けがね管４２と、非固定管４４と、圧縮リング４６とを具備している。外套の外部導体部位３６は、結合端４８と同軸ケーブル端５０を持っている。掛けがね管４２は、外套の外部導体部位３６の周りに沿うように設けられている。バネ５２は、その一方端が外部導体部位３６に当接し、その他方端が掛けがね管４２に当接して支持されており、それによって、掛けがね管４２は、外套の外部導体部位３６の同軸ケーブル端５０方向に、予め押し付けられている。外套の外部導体部位３６の同軸ケーブル端５０において、圧縮リング４６が設けられていることにより、掛けがね管４２の停止が図られる。圧縮リング４６は、掛けがね管４２が、外套の外部導体部位３６の同軸ケーブル端５０方向に同軸的に移動するのを制限するために設けられている。結合端４８において、掛けがね管４２は同軸的に差し込まれるように形成され、そこで、弾撥性掛けがね舌片５４が設けられている。これらの結合端において、掛けがね舌片５４の各々は、径方向に外方に上向きに延びている掛けがね縁５６を持っている。非固定管４４は、掛けがね管４２の周りに設けられており、掛けがね管４２に対して同軸的に移動する。掛けがね管４２は、径方向に外方に上向きに延びている傾斜舌片５８を持っている。そして、傾斜舌片５８は同軸ケーブル端５０の方向に向かって上向きに傾斜している。傾斜舌片５８は、非固定管４４の内側面における対応する傾斜溝６０と協働する。このような協働において、同軸ケーブル端５０の方向への、掛けがね管４２に対する非固定管４４の移動が、掛けがね管４２の掛けがね舌片５４を、径方向に内方に曲げることを引き起こす。
【００１８】
図３は、バルクヘッドソケット１００と同軸プラグ２００の間の固定機構が示されている。図３に示された符号は、図１及び図２に示された符号と同一であって、同様のものである。したがって、ここでの説明において、図１及び図２の上記説明が参考にされる。差し込み状態において、掛けがね縁５６を持っている掛けがね舌片５４は、溝３４の掛けがね縁３４の後ろ側と係合する。これによって、バルクヘッドソケット１００と同軸プラグ２００の間の固定が維持されるので、固定維持のためのねじ込みを必要としない。すなわち、同軸プラグ２００がバルクヘッドソケット１００内に単に押し込まれるだけである。掛けがね縁５６は、傾斜舌片と同様の形状となっているので、掛けがね縁３０を通りすぎて、自動的に押し込まれ、掛けがね舌片５４は径方向に内方に弾性的に曲げられ、溝３４の中に入る。非固定管４４は、この掛けがねされた機械的接続を再び解除するために用いられる。この目的のため、非固定管４４を、掛けがね管４２に対して、すなわち換言すれば、外套の外部導体部位３６に対して、同軸プラグ２００の同軸ケーブル端５０の方向に、同軸的に移動させる。この結果、傾斜溝６０は掛けがね管４２上の傾斜舌片５８を乗り越えるため、掛けがね舌片５４は径方向に内方に曲げられる。そして、掛けがね縁５６と、バルクヘッドソケット１００の掛けがね縁３０との係合は解除され、バルクヘッドソケット１００から同軸プラグ２００を引き抜くことができる。
【００１９】
バルクヘッドソケット１００に適合する本発明に係る同軸プラグ２００は、以下のように構成されている。
【００２０】
特にＮ−タイプの同軸プラグとソケットの接続器のための同軸プラグ２００は、外部導体を形成し、結合端４８と同軸ケーブル端５０を持つ外套の筒状外部導体部位３６を備えた同軸プラグ２００において、以下の点で特徴付けられるものである。すなわち、外套の外部導体部位３６の周りに沿うように、かつ、外部導体部位３６に対して同軸的に移動可能となるようにして設けられている掛けがね管４２と；外部導体部位３６に当接する一方端と、掛けがね管４２に当接する他方端によって支持されたバネ５２であり、これによって、掛けがね管４２を外部導体部位３６の同軸ケーブル端５０の方向に、予め押し付けるバネ５２と；弾撥性掛けがね舌片５４を形成しうるように、結合端４８において同軸的に差し込まれるように形成された掛けがね管４２であって、この弾撥性掛けがね舌片５４の各々が、結合端４８において、径方向に外方へ上向きに延びている掛けがね縁５６を備えた掛けがね管４２と；掛けがね管４２の周りに、掛けがね管４２に対して同軸的に移動しうる非固定管４４と；径方向に外方へ上向きに延び、同軸ケーブル端５０の方向に向かって上向きに傾斜している、掛けがね管４２に設けられた傾斜舌片５８とを備え、この傾斜舌片５８は、非固定管４４の内側面に設けられた対応する傾斜溝６０と協働し、その結果、非固定管４４が、掛けがね管４２に対して、同軸ケーブル端５０の方向へ移動することにより、掛けがね管４２の掛けがね舌片５４が、径方向に内方に曲がることによって、特徴付けられる。
【００２１】
上記段落で詳述された同軸プラグ２００は、更に以下の点で特徴付けられていてもよい。すなわち、外套の外部導体部位３６の同軸ケーブル端５０において、掛けがね管４２の同軸的移動を、外套の外部導体部位３６の同軸ケーブル端５０の方向で制限するために設けられた掛けがね管の止め具４６が形成されていてもよい。
【図面の簡単な説明】
【００２２】
【図１】図１は、本発明による好ましい態様のバルクソケットの部分的断面を持つ側面図である。
【図２】図２は、図１に示されたバルクヘッドソケットに適合する同軸プラグの断面図である。
【図３】図３は、図１のバルクヘッドソケットと図２の同軸プラグが、差し込まれた状態における断面図である。
【符号の説明】
【００２３】
１０    外皮
１２    同軸ケーブル端
１４    結合端
１６    ネジ山
１８    中央導体
２２    雌ハンダ接続
２４    六角ナット
２６    防振ワッシャー
２８    Ｏ−リング
３０    掛けがね縁
３４    溝
３６    筒状外部導体部位
３８    中央導体
４０    絶縁部位
４２    掛けがね管
４４    非固定管
４６    圧縮リング（止め具）
４８    結合端
５０    同軸ケーブル端
５２    バネ
５４    掛けがね舌片
５６    掛けがね縁
５８    傾斜舌片
６０    傾斜溝
１００  バルクヘッドソケット
２００  同軸プラグ
【図１】
2007538360.tif 000003
【図２】
2007538360.tif 000004
【図３】
2007538360.tif 000005
【手続補正書】
【提出日】平成17年12月2日(2005.12.2)
【手続補正１】
【補正対象書類名】特許請求の範囲
【補正対象項目名】全文
【補正方法】変更
【補正の内容】
【特許請求の範囲】
【請求項１】
外部導体を形成し、同軸ケーブル端（１２）と結合端（１４）を持つ筒状外皮（１０）を備え、前記結合端（１４）に隣り合う前記外皮（１０）の内壁内に、周方向に亙って環状形態となっていると共に、掛けがね縁（３０）を形成している溝（３４）を具備するバルクヘッドソケット（１００）と、
外部導体を形成し、結合端（４８）と同軸ケーブル端（５０）を持つ外套の筒状外部導体部位（３６）を具備する同軸プラグ（２００）とからなり、
特にＮ−タイプの前記バルクヘッドソケット（１００）と同軸プラグ（２００）とを持つ同軸プラグとソケットの接続器（１００，２００）において、
前記同軸プラグ（２００）は、前記外部導体部位（３６）の周りに沿うように、かつ、前記外部導体部位（３６）に対して同軸的に移動可能となるようにして設けられている掛けがね管（４２）とを具備し、ここにおいて、
前記外部導体部位（３６）に当接する一方端と、前記掛けがね管（４２）に当接する他方端によって支持されたバネ（５２）を備え、これによって、前記掛けがね管（４２）は、前記外部導体部位（３６）の前記同軸ケーブル端（５０）の方向に、予め押し付けられており、
前記掛けがね管（４２）は、前記結合端（４８）において同軸的に差し込まれるように形成され、そこにおいて、弾撥性掛けがね舌片（５４）が設けられており、
前記掛けがね舌片（５４）の各々は、それらの結合端において、掛けがね縁（５６）を持っており、前記掛けがね縁（５６）は、バルクヘッドソケット（１００）に設けられている前記溝（３４）の前記掛けがね縁（３０）に係合するように、径方向に外方に上向きに延びており、
前記掛けがね管（４２）の周りには、前記掛けがね管（４２）に対して同軸的に移動しうる非固定管（４４）が設けられており、
前記掛けがね管（４２）は、径方向に外方に上向きに延びている傾斜舌片（５８）を持っており、前記傾斜舌片（５８）は前記同軸ケーブル端（５０）の方向に向かって上向きに傾斜しており、
前記傾斜舌片（５８）は、前記非固定管（４４）の内側面に設けられた傾斜溝（６０）に対応して協働し、その結果、前記非固定管（４４）が、前記掛けがね管（４２）に対して、前記同軸ケーブル端（５０）の方向へ移動することにより、前記掛けがね管（４２）の前記掛けがね舌片（５４）が、径方向に内方に曲がることを特徴とする同軸プラグとソケットの接続器（１００，２００）。
【請求項２】
掛けがね縁（３０）を形成している溝（３４）の結合端は、バルクヘッドソケット（１００）の結合端（１４）から、２．８〜３ｍｍ、特に２．９ｍｍ離れている請求項１記載の同軸プラグとソケットの接続器（１００，２００）。
【請求項３】
外皮（１０）はその外周にネジ山（１６）を持っており、前記ネジ山（１６）は、一般的な同軸プラグが備えている結合ナットの内側のネジ山と螺合するものである請求項１又は２記載の同軸プラグとソケットの接続器（１００，２００）。
【請求項４】
外部導体部位（３６）の同軸ケーブル端（５０）に、掛けがね管（４２）のための止め具（４６）が設けられており、前記止め具（４６）は、掛けがね管（４２）の同軸的移動を、前記外部導体部位（３６）の前記同軸ケーブル端（５０）の方向において、制限している請求項１乃至３のいずれか一項に記載の同軸プラグとソケットの接続器（１００，２００）。
【国際調査報告】
2007538360.tif 000006
2007538360.tif 000007
2007538360.tif 000008
2007538360.tif 000009
2007538360.tif 000010
2007538360.tif 000011